(57)【要約】【課題】配光をより細かく調整することができる照明器具を提供する。【解決手段】照明器具１は、ＬＥＤを保持する灯具ユニット２と、天井面に設けられた取付用の穴の周りに固定される枠ユニット３と、灯具ユニット２を支持して、枠ユニット３に取り付けられる支持ユニット４とを備える。枠ユニット３は、取付用の穴に下側から筒部３１ａが挿入される枠体３１と、筒部３１ａの上側に配置されるリング状の押さえ板３３を備える。支持ユニット４は、筒部３１ａの上端部と押さえ板３３の間に円環部分が配置されるアーム取付具４１と、天井面と平行な第１回転軸（取付ネジ４４の軸方向）を中心として回転自在にアーム取付具４１に取り付けられたアーム４２とを備える。アーム４２には、第１回転軸と直交する第２回転軸（取付ネジ４７の軸方向）を中心として回転自在に灯具ユニット２が取り付けられている。【選択図】図１
2014203549.tif 000002
【特許請求の範囲】
【請求項１】
光源を保持する灯具と、
天井面に設けられた取付用の穴の周りに固定される枠部と、
前記灯具を支持して、前記枠部に取り付けられる支持部とを備え、
前記支持部は、前記枠部に取り付けられる取付部材と、天井面と平行な第１回転軸を中心として回転自在に前記取付部材に取り付けられたアームとを備え、
前記アームには、前記第１回転軸と直交する第２回転軸を中心として回転自在に前記灯具が取り付けられたことを特徴とする照明器具。
【請求項２】
前記枠部に取り付けられて、前記枠部との間で前記取付部材を保持する押さえ部材を備え、
前記取付部材は、天井面と直交する第３回転軸を中心として回転自在な状態で、前記枠部と前記押さえ部材との間に保持されたことを特徴とする請求項１記載の照明器具。
【請求項３】
前記光源からの照射光の配光が、前記第２回転軸と平行な方向を長軸方向とする楕円状の配光であることを特徴とする請求項１又は２の何れか１項に記載の照明器具。
【発明の詳細な説明】
【技術分野】
【０００１】
本発明は、照明器具に関するものである。
【背景技術】
【０００２】
従来、天井面に形成された取付孔に設置され、光源を収納した筐体を、天井面に対して垂直な軸線を中心として回転可能とし、かつ、天井面に対して平行な線を中心として回転可能とした照明器具があった（例えば特許文献１参照）。
【先行技術文献】
【特許文献】
【０００３】
【特許文献１】特開２００７−３１７５５６号公報
【発明の概要】
【発明が解決しようとする課題】
【０００４】
特許文献１に記載された照明器具では、光源を収納した筐体が、天井面に対して平行な線を中心として回転可能になっているので、照明器具の直下にない被照射物に対しても、筐体を回転させることで、光を照射させることができる。しかしながら、長方形状の被照射物が光軸方向に対して斜めに配置された場合、被照射物の端が配光領域から外れてしまい、被照射物の端では必要な明るさが確保できない可能性があった。
【０００５】
本発明は上記課題に鑑みて為されたものであり、その目的とするところは、配光をより細かく調整することができる照明器具を提供することにある。
【課題を解決するための手段】
【０００６】
本発明の照明器具は、光源を保持する灯具と、天井面に設けられた取付用の穴の周りに固定される枠部と、前記灯具を支持して、前記枠部に取り付けられる支持部とを備える。前記支持部は、前記枠部に取り付けられる取付部材と、天井面と平行な第１回転軸を中心として回転自在に前記取付部材に取り付けられたアームとを備え、前記アームには、前記第１回転軸と直交する第２回転軸を中心として回転自在に前記灯具が取り付けられることを特徴とする。
【０００７】
この照明器具において、前記枠部に取り付けられて、前記枠部との間で前記取付部材を保持する押さえ部材を備え、前記取付部材は、天井面と直交する第３回転軸を中心として回転自在な状態で、前記枠部と前記押さえ部材との間に保持されることも好ましい。
【０００８】
この照明器具において、前記光源からの照射光の配光が、前記第２回転軸と平行な方向を長軸方向とする楕円状の配光であることも好ましい。
【発明の効果】
【０００９】
本発明によれば、取付部材に対して第１回転軸の周りにアームを回転させることで、天井面と平行し且つ第１回転軸と直交する方向に沿って配光領域をスライド移動させることができる。また、アームに対して第２回転軸の周りに灯具を回転させることで、天井面と平行し且つ第２回転軸と直交する方向に沿って配光領域をスライド移動させることができる。したがって、天井面と平行する面内で、互いに直交する２つの方向に沿って配光領域をそれぞれスライド移動させることができるから、配光をより細かく調整することができる。
【図面の簡単な説明】
【００１０】
【図１】実施形態における照明器具を示し、（ａ）は下側から見た外観斜視図、（ｂ）は上側から見た外観斜視図である。
【図２】同上の分解斜視図である。
【図３】（ａ）は同上の外観斜視図、（ｂ）は灯具ユニットが枠ユニットに取り付けられた状態の斜視図である。
【図４】同上のレンズを示し、（ａ）は下側から見た斜視図、（ｂ）は上側から見た斜視図である。
【図５】同上の灯具ユニットが直下を照明する位置に移動している状態を示し、（ａ）は正面図、（ｂ）は背面図、（ｃ）は右側面図、（ｄ）は下面図である。
【図６】同上の灯具ユニットが第１回転軸を中心に回転した状態を示し、（ａ）は正面図、（ｂ）は背面図、（ｃ）は右側面図、（ｄ）は下面図である。
【図７】同上の灯具ユニットが第１回転軸及び第２回転軸を中心に回転した状態を示し、（ａ）は正面図、（ｂ）は背面図、（ｃ）は右側面図、（ｄ）は下面図である。
【図８】同上の配光特性の説明図であり、（ａ）は直下を照明している状態の説明図、（ｂ）は灯具ユニットが第１回転軸を中心に回転した状態の説明図、（ｃ）は灯具ユニットが第１回転軸及び第２回転軸を中心に回転した状態の説明図、（ｄ）は灯具ユニットが第１回転軸及び第３回転軸を中心に回転した状態の説明図である。
【発明を実施するための形態】
【００１１】
本実施形態の照明器具を図１〜図８に基づいて説明する。
【００１２】
本実施形態の照明器具１は、天井材に形成された取付用の穴に、上部が埋設された状態で使用される。尚、以下の説明では特に断りがないかぎり、天井材に照明器具が取り付けられた状態を基準に上下の方向を規定するが、この方向は説明の便宜上規定するものである。
【００１３】
この照明器具１は、図１〜図３及び図５〜図７に示すように、灯具ユニット２（灯具）と、枠ユニット３（枠部）と、支持ユニット４（支持部）とを備えている。
【００１４】
灯具ユニット２は、図２に示すように、光源であるＬＥＤ（Light Emitting Diode）を保持する本体２１と、ＬＥＤの周りを囲うようにして本体２１の下側に取り付けられる前枠２２とを備える。
【００１５】
本体２１は、例えばアルミニウムのダイカスト成型品からなる。本体２１は、円板状の主部２１ａと、主部２１ａの上面から上向きに突出する複数の放熱フィン２１ｂとを備えている。主部２１ａの下面には１乃至複数のＬＥＤ（図示せず）が配置されており、天井材に取り付けられた状態ではＬＥＤの光は下向きに照射される。なお光源はＬＥＤに限定されず、有機ＥＬなどの半導体発光素子でもよいし、ハロゲンランプや蛍光ランプでもよい。
【００１６】
前枠２２は、例えばアルミニウムのダイカスト成型品からなる。前枠２２は、上端及び下端がそれぞれ開口した円筒状に形成されている。前枠２２の内部には反射鏡２３とレンズ２４とグレア防止部材２５とが収納されている。
【００１７】
反射鏡２３は、合成樹脂（例えばポリブチレンテレフタレート（ＰＢＴ）など）の成型品からなり、上端及び下端がそれぞれ開口した筒状に形成されている。反射鏡２３の内面は回転放物面に形成されており、反射率を高めるために白色塗装が施されている。反射鏡２３は、主部２１ａの下面に配置されたＬＥＤが上端側の開口に臨むようにして、前枠２２内に配置されており、ＬＥＤから斜め下向きに照射された光を反射してレンズ２４に入射させる。
【００１８】
レンズ２４は、合成樹脂（例えばポリカーボネート）の成型品からなる。レンズ２４は、円板状のフレネルレンズで構成されており、前枠２２の開口付近に、前枠２２の開口を塞ぐようにして取り付けられている。図４（ａ）はレンズ２４の下面の形状を示し、図４（ｂ）はレンズ２４の上面の形状を示している。レンズ２４の上面には、レンズ２４の上面と平行な面内で、矢印Ｃ方向において配光を広げ、且つ、矢印Ｃ方向と直交する矢印Ｄ方向においては配光を変化させないようなレンズ形状２４ｂが形成されている。レンズ２４の下面には、凸レンズを構成する同心円状のレンズ形状２４ａが形成されている。レンズ２４の表面（上面及び下面）には上記のようなレンズ形状２４ａ，２４ｂが形成されており、レンズ２４によってＬＥＤからの照射光が楕円状の領域に配光されている。
【００１９】
グレア防止部材２５は円筒状に形成されており、円筒部分の内側には２枚のルーバ２５ａが平行に配置されている。グレア防止部材２５は、前枠２２の下部に、グレアを低減するために取り付けられているが、グレアの低減が不要であればグレア防止部材２５を備えていなくてもよい。
【００２０】
反射鏡２３及びレンズ２４は、レンズ２４を下側にして前枠２２の内部に収納されている。グレア防止部材２５は、前枠２２の下部に取り付けられている。本体２１は、前枠２２の上端側の開口を主部２１ａで塞ぐようにして前枠２２に取り付けられており、本体２１と前枠２２とはネジで結合されている。
【００２１】
枠ユニット３は、枠体３１と、複数個（例えば３個）の取付バネ３２と、押さえ板３３とを備える。
【００２２】
枠体３１は、例えばアルミニウムのダイカスト成型品からなる。枠体３１は、円筒状の筒部３１ａと、筒部３１ａの下端部から径方向の外側に突出するリング状の鍔部３１ｂとを備える。枠体３１は、天井材に形成された穴に筒部３１ａが挿入され、鍔部３１ｂの上面が天井材の下面に当接した状態で、天井材に取り付けられる。
【００２３】
押さえ板３３は、板金にプレス加工を施すことによって円環状に形成されており、筒部３１ａの上端部との間に所定の隙間を設けた状態で、筒部３１ａに対して取付ネジ３４で固定されている。押さえ板３３には、押さえ板３３の外周縁からそれぞれ下向きに突出する取付片３３ａが、外周縁に沿って一定の間隔で設けられている。押さえ板３３の外周縁の一部には、上向きに突出する突起３３ｂが切り起こしによって形成されている（図５（ｂ）参照）。
【００２４】
取付バネ３２は、弾性係数が比較的大きい金属材料（例えばステンレス鋼）により形成された板ばねからなる。取付バネ３２は、押さえ板３３の３箇所に設けられた取付片３３ａに１個ずつ取り付けられており、３本の取付バネ３２は筒部３１ａの中心から放射状に延びている。取付バネ３２は、取付片３３ａに固定された部位から斜め上側に突出する。取付バネ３２は、中間部で下向きに折り曲げられており、その先端側は斜め下向きに突出している。而して、天井材に形成された穴に筒部３１ａが挿入され、天井材の下面に鍔部３１ｂの上面が当接した状態で、天井材の上面に取付バネ３２が当接することで、枠ユニット３が天井材に固定される。
【００２５】
支持ユニット４は、アーム取付具４１と、アーム４２とで構成される。
【００２６】
アーム取付具４１は、板金にプレス加工を施すことによって、円環状に形成されている。アーム取付具４１の内周縁には、円環部分の中心位置を挟んで対向する部位からそれぞれ上向きに突出する取付片４３が、アーム取付具４１と一体に設けられている。各取付片４３は、円環部分との連結部位における接線方向に沿って、円環部分との連結部位から同じ向きに突出するように形成されている。各取付片４３の先端側には、アーム４２を取り付けるための取付ネジ４４を通す孔（図示せず）が設けられている。
【００２７】
アーム４２は、細幅の金属板を折り曲げることによってＵ字形に形成されている。アーム４２の中央片４２ａには、前枠２２を取り付ける取付ネジ４７を通すための孔（図示せず）が形成されている。アーム４２の両端の取付片４２ｂ，４２ｂは、中央片４２ａの両端側を同じ方向に折り曲げて形成されている。両側の取付片４２ｂ，４２ｂは互いに平行しており、各取付片４２ｂには取付ネジ４４を通すための孔（図示せず）が設けられている。中央片４２ａの上側縁には、取付ネジ４７を通す孔の上側に溝４２ｃが形成されている。溝４２ｃには、前枠２２の周面に設けられた突起２２ｂが挿入されており、取付ネジ４７を中心として灯具ユニット２が回転する際に、突起２２ｂが溝４２ｃの端に当たることで、灯具ユニット２の回転範囲が規制される。
【００２８】
アーム４２の取付片４２ｂは取付片４３の内側に重ねて配置される。取付ネジ４４が、取付片４３の孔と取付片４２ｂの孔とに外側から通され、取付片４２ｂの内側に配置されたナット４５にねじ込まれることによって、アーム４２とアーム取付具４１とが結合されている。取付ネジ４４の頭と取付片４３との間にはバネ座金４６が取り付けられており、取付ネジ４４をナット４５にねじ込むと、バネ座金４６が撓められ、バネ座金４６に弾性力が蓄積される。
【００２９】
取付片４３は、バネ座金４６に蓄積される弾性力によって取付片４２ｂに押し付けられている。アーム４２は、取付片４３と取付片４２ｂの間に発生する摩擦力によって、その回転角度で保持される。ユーザが、灯具ユニット２を取付ネジ４４（第１回転軸）の周りに回転させるために、灯具ユニット２の片側を上向きに押すと、取付ネジ４４の軸方向を中心に灯具ユニット２を回転させる力が灯具ユニット２に加えられる。この力が取付片４３と取付片４２ｂの間に発生する摩擦力よりも大きくなると、取付片４２ｂが取付片４３の表面に沿って摺動することで、アーム４２がアーム取付具４１に対して回転する。すなわち、灯具ユニット２が取付ネジ４４を中心として回転する。灯具ユニット２が所望の角度まで回転した状態でユーザが灯具ユニット２を押すのを止めると、灯具ユニット２を回転させる力が灯具ユニット２に加えられなくなり、バネ座金４６に蓄積される弾性力によって、灯具ユニット２は現在の回転位置で保持される。なお、灯具ユニット２が取付ネジ４４を中心に回転する回転範囲は、例えば灯具ユニット２が筒部３１ａに当接したり、アーム４２がアーム取付具４１の円環部分に当接することによって、所定の角度範囲に制限されている。
【００３０】
また、中央片４２ａの孔に通した取付ネジ４７を、前枠２２の周面に形成されたネジ穴２２ａにねじ込むことによって、アーム４２に灯具ユニット２が取り付けられる。取付ネジ４７の頭と中央片４２ａとの間にはバネ座金４８が取り付けられており、取付ネジ４７がネジ穴２２ａにねじ込まれると、バネ座金４８が撓められて、バネ座金４８に弾性力が蓄積される。
【００３１】
前枠２２の周面は、バネ座金４８に蓄積される弾性力によって中央片４２ａに押し付けられており、灯具ユニット２は、中央片４２ａと前枠２２の周面との間に発生する摩擦力によって、その回転角度で保持される。ユーザが、灯具ユニット２を取付ネジ４７（第２回転軸）の周りに回転させるために、灯具ユニット２の片側を上向きに押すと、取付ネジ４７の軸方向を中心に灯具ユニット２を回転させる力が灯具ユニット２に加えられる。この力が前枠２２の周面と中央片４２ａとの間に発生する摩擦力よりも大きくなると、前枠２２が中央片４２ａの表面に沿って摺動することで、灯具ユニット２が回転する。灯具ユニット２が所望の角度まで回転した状態でユーザが灯具ユニット２を押すのを止めると、灯具ユニット２を回転させる力が灯具ユニット２に加えられなくなり、バネ座金４８に蓄積される弾性力によって、灯具ユニット２は現在の回転位置で保持される。なお、灯具ユニット２が取付ネジ４７を中心に回転する回転範囲は、突起２２ｂが溝４２ｃの端に当たることによって、所定の角度範囲に制限されている。
【００３２】
また、アーム４２を介して灯具ユニット２が取り付けられたアーム取付具４１は、筒部３１ａの上側に載置されている。筒部３１ａの上側には、筒部３１ａと中心が一致するようにして押さえ板３３が載置され、押さえ板３３は筒部３１ａに対して取付ネジ３４でネジ止めされている。アーム取付具４１は、筒部３１ａの上端部と押さえ板３３との間に保持され、筒部３１ａの中心軸（天井材の下面と垂直な第３回転軸）に対して回転自在となっている。なお、一方の取付片４３には、切り起こしによって外向きに突出する突起４３ａが設けられ、この突起４３ａが押さえ板３３の突起３３ｂと当接することによって、支持ユニット４が第３回転軸を中心として回転可能な角度範囲が制限されている。
【００３３】
この照明器具１の配光調整機能について図５〜図８を参照して説明する。本実施形態の照明器具１では、縦横の長さが異なる矩形の被照射物（テーブルやベッドなど）を照明する場合に、被照射物の端まで作業に必要な明るさを確保できるように、水平面照度分布を楕円状としている。このような照明器具は、例えば病院や介護施設などでベッドの上面を照明する用途に好適である。図８（ａ）は照明器具１の配光を示し、照明器具１の配光領域Ａ１は楕円状に設定されている。この照明器具１では、取付ネジ４７の軸方向（第２回転軸）が配光領域Ａ１の長軸方向と平行し、取付ネジ４４の軸方向（第１回転軸）が配光領域Ａ１の短軸方向と平行している。したがって、灯具ユニット２が取付ネジ４４の軸方向を中心として回転すると、配光領域Ａ１が長軸方向に沿ってスライド移動する。灯具ユニット２が取付ネジ４７の軸方向を中心として回転すると、配光領域Ａ１が短軸方向に沿ってスライド移動する。また、灯具ユニット２が天井面と直交する第３回転軸を中心に回転すると、配光領域Ａ１も第３回転軸を中心に回転することになる。
【００３４】
図５（ａ）〜（ｃ）は照明器具１が直下を照明する状態を示し、図５（ａ）に示すように、灯具ユニット２は、灯具ユニット２の中心軸ＣＬ１が鉛直方向と平行する位置に回転している。図８（ａ）は照明器具１が直下を照明する場合の配光を示している。楕円状の配光領域Ａ１（一定の明るさが得られる領域）の長軸方向がベッド１００の長手方向と一致し、配光領域Ａ１の短軸方向がベッド１００の短手方向に一致するように、ベッド１００は配置されている。ベッド１００は四隅を除く大部分の領域が配光領域Ａ１に含まれている。ベッド１００の四隅は配光領域Ａ１から外れているため、配光領域Ａ１に含まれる領域に比べれば若干暗くなるものの、配光領域Ａ１から外れている距離は僅かであるから、作業に必要な明るさを確保することができる。
【００３５】
図６（ａ）〜（ｄ）は、灯具ユニット２が、取付ネジ４４を回転軸として図６（ｃ）の右回りに回転し、且つ、取付ネジ４７を回転軸とする回転方向においては中央位置（図５に示す状態と同じ位置）に位置する状態を示している。この状態では、図８（ｂ）に示すように、照明器具１の配光領域Ａ１が、直下を照明している場合の領域（図８（ａ）参照）から、配光領域Ａ１の長軸方向に沿ってスライド移動している。ベッド１００の位置が、ベッド１００の長手方向、すなわち配光領域Ａ１の長手方向に沿ってスライド移動した場合には、取付ネジ４４を回転軸として灯具ユニット２を回転させることで、配光領域Ａ１をベッド１００の位置に追随させることができる。
【００３６】
図７（ａ）〜（ｄ）は、灯具ユニット２が、取付ネジ４４を回転軸として図７（ｃ）の右回りに回転し、且つ、取付ネジ４７を回転軸として図７（ａ）の右回りに回転した状態を示している。灯具ユニット２は、第１回転軸（取付ネジ４４の中心軸）と第２回転軸（取付ネジ４７の中心軸）とを中心にそれぞれ回転しているので、図８（ｃ）に示すように、配光領域Ａ１は、図８（ｂ）の位置から配光領域Ａ１の短軸方向に沿ってスライド移動している。ベッド１００の位置が、図８（ｂ）の位置からベッド１００の短手方向に沿ってスライド移動した場合には、取付ネジ４７を回転軸として灯具ユニット２を回転させることで、配光領域Ａ１をベッド１００の位置に追随させることができる。
【００３７】
ところで、灯具ユニット２が、天井面と直交する回転軸を中心に回転自在であって、天井面と平行な１つの回転軸（例えば取付ネジ４４の軸方向）を中心に回転自在となっている場合、配光領域Ａ１は以下のように調整される。図８（ｄ）に示すように、ベッド１００が、照明器具１の直下の位置から、ベッド１００の長手方向及び短手方向に沿ってそれぞれスライド移動した場合、配光領域Ａ１をベッド１００の動きに追随させるように、灯具ユニット２の向きを調整する必要がある。この場合、灯具ユニット２は、図８（ｄ）に示すように、天井面と平行な回転軸の周りに回転させられ、且つ、天井面と直交する回転軸ＣＬ２の周りに回転させられる。これにより、配光領域Ａ１は、長軸方向に沿ってスライド移動し、且つ、中心軸ＣＬ２の周りに回転させられるので、ベッド１００の上面を照明することは可能であるが、楕円状の配光領域Ａ１の長軸方向が、ベッド１００の長手方向に対して斜めに交差する。そのため、ベッド１００の四隅のうち、配光領域Ａ１の長軸方向にある２つの角部は十分な明るさで照明されるが、配光領域Ａ１の短軸方向にある２つの角部には光が十分に届かず、必要な照度を確保できない可能性がある。
【００３８】
それに対して、本実施形態の照明器具１では、灯具ユニット２が、天井面と平行な第１回転軸（取付ネジ４４の軸方向）、及び、第１回転軸と直交する第２回転軸（取付ネジ４７の軸方向）をそれぞれ中心として回転自在となっている。したがって、取付ネジ４４の軸方向を中心に灯具ユニット２を回転させることで、天井面と平行し且つ取付ネジ４４の軸方向と直交する方向（図８（ｃ）の左右方向）に沿って配光領域Ａ１をスライド移動させることができる。また、取付ネジ４７の軸方向を中心に灯具ユニット２を回転させることで、天井面と平行し且つ取付ネジ４７の軸方向と直交する方向（図８（ｃ）の上下方向）に沿って配光領域Ａ１をスライド移動させることができる。すなわち、照明器具１の配光領域Ａ１を、直下を照明する場合の配光領域から、図８（ｃ）の左右方向及び上下方向にそれぞれスライド移動させることができる。これにより、楕円状の配光領域Ａ１の長軸方向がベッド１００の長手方向と一致し、配光領域Ａ１の短軸方向がベッド１００の短手方向と一致するように、配光領域Ａ１の位置が調整される。よって、ベッド１００が照明器具１の直下にある場合と同じようにベッド１００の上面を照明することができ、ベッド１００の四隅に十分な光を照射して、ベッド１００の四隅においても作業に必要な明るさを確保することができる。
【００３９】
上述のように、本実施形態の照明器具１は、光源を保持する灯具ユニット２（灯具）と、天井面に設けられた取付用の穴の周りに固定される枠ユニット３（枠部）と、灯具ユニット２を支持して、枠ユニット３に取り付けられる支持ユニット４（支持部）とを備える。支持ユニット４は、枠ユニット３に取り付けられるアーム取付具４１（取付部材）と、天井面と平行な第１回転軸（取付ネジ４４の中心軸）を中心として回転自在にアーム取付具４１に取り付けられたアーム４２とを備える。アーム４２には、第１回転軸と直交する第２回転軸（取付ネジ４７の中心軸）を中心として回転自在に灯具ユニット２が取り付けられている。
【００４０】
これにより、アーム取付具４１に対して第１回転軸の周りにアーム４２を回転させることで、天井面と平行し且つ第１回転軸と直交する方向に沿って配光領域をスライド移動させることができる。また、アーム４２に対して第２回転軸の周りに灯具ユニット２を回転させることで、天井面と平行し且つ第２回転軸と直交する方向に沿って配光領域をスライド移動させることができる。したがって、天井面と平行する面内で、互いに直交する２つの方向に沿って配光領域をそれぞれスライド移動させることができるから、配光をより細かく調整することができる。なお、第１回転軸は天井面と平行しているが、組立や施工の誤差によって多少傾いていてもよく、人の目で見て、天井面とほぼ平行しているとみなせる角度範囲で天井面と交差していてもよい。
【００４１】
また、枠ユニット３に取り付けられて、枠ユニット３との間でアーム取付具４１を保持する押さえ板３３（押さえ部材）を備え、アーム取付具４１が、天井面と直交する第３回転軸（筒部３１ａの中心軸ＣＬ２）を中心として回転自在な状態で、枠ユニット３と押さえ板３３との間に保持されることも好ましい。灯具ユニット２を第３回転軸の周りに回転させることによって、天井面と直交する第３回転軸の周りに配光領域Ａ１を回転させることができるから、配光領域Ａ１をより細かく調整することができる。なお、第３回転軸は天井面と直交しているが、組立や施工の誤差によって多少傾いていてもよく、人の目で見て、天井面とほぼ直交しているとみなせる角度範囲で天井面と交差していてもよい。
【００４２】
また、ＬＥＤからの照射光の配光が、第２回転軸（取付ネジ４７の中心軸）と平行な方向を長軸方向とする楕円状の配光であることも好ましい。これにより、天井面と平行する面内で、楕円状の配光領域Ａ１を、楕円の長軸方向及び短軸方向に沿ってそれぞれスライド移動させることができる。
【００４３】
なお、本発明の精神と範囲に反することなしに、広範に異なる実施形態を構成することができることは明白なので、この発明は、特定の実施形態に制約されるものではない。
【符号の説明】
【００４４】
１  照明器具
２  灯具ユニット（灯具）
３  枠ユニット（枠部）
４  支持ユニット（支持部）
３１  枠体
３１ａ  筒部
３１ｂ  鍔部
３３  押さえ板（押さえ部材）
４１  アーム取付具（取付部材）
４２  アーム
４４  取付ネジ（第１回転軸）
４７  取付ネジ（第２回転軸）
ＣＬ２  中心軸（第３回転軸）
【図１】
2014203549.tif 000003
【図２】
2014203549.tif 000004
【図３】
2014203549.tif 000005
【図４】
2014203549.tif 000006
【図５】
2014203549.tif 000007
【図６】
2014203549.tif 000008
【図７】
2014203549.tif 000009
【図８】
2014203549.tif 000010